(57)【要約】  【課題】各カラオケ楽曲において、利用者が歌入着信メロディとして所望する歌唱部分について、これを容易かつ効率的に利用者が自由に指定でき、これにより利用者が自分好みの楽曲の歌入着信メロディを独自にアレンジできると共に、その歌唱録音データを歌入着信メロディとして効率良く供給できるカラオケ演奏装置の提供。  【解決手段】利用者が歌入着信メロディとして所望する歌入着信メロディ対象歌唱区間を指定可能に制御する区間指定制御手段（２３）と、指定された歌入着信メロディ対象歌唱区間の歌唱音声を当該楽曲の伴奏音楽と共に録音し、その歌唱録音データを所定の記録部に記録する歌唱録音手段（１６）と、記録された歌唱録音データを、適宜、所定の携帯電話に転送可能に制御する転送制御手段（２５）と、を具備させた。【選択図】図１
2006017757.tif 000002
【特許請求の範囲】
【請求項１】
利用者による任意のカラオケ楽曲の歌唱音声に対する録音機能を有し、当該歌唱録音データから携帯電話の歌入着信メロディを供給できるカラオケ演奏装置であって、
（ア）利用者が任意のカラオケ楽曲を歌唱中、当該楽曲において、歌入着信メロディとして所望する歌入着信メロディ対象歌唱区間を指定可能に制御する区間指定制御手段と、
（イ）前記指定された歌入着信メロディ対象歌唱区間の歌唱音声を当該楽曲の伴奏音楽と共に録音し、その歌唱録音データを所定の記録部に記録する歌唱録音手段と、
（ウ）前記所定の記録部に記録された歌唱録音データを、適宜、所定の携帯電話に転送可能に制御する転送制御手段と、
を具備してなるカラオケ演奏装置。
【請求項２】
前記歌唱録音データが記録された後、当該歌唱録音データを試聴可能に制御する試聴制御手段を、さらに具備してなる請求項１記載のカラオケ演奏装置。
【請求項３】
前記区間指定制御手段の区間指定インタフェイスが、付帯するカラオケマイクに組み込まれてなる請求項１ないし請求項２記載のカラオケ演奏装置。
【請求項４】
前記区間指定制御手段の区間指定インタフェイスが、付帯するリモコン装置に組み込まれてなる請求項１ないし請求項２記載のカラオケ演奏装置。
【発明の詳細な説明】
【技術分野】
【０００１】
本発明は、カラオケ楽曲の伴奏音楽に合わせて歌った利用者の歌唱音声を録音し、当該歌唱の録音データから携帯電話の歌入着信メロディを供給できるカラオケ演奏装置に関する。
【背景技術】
【０００２】
近年、老若男女を問わず、携帯電話への需要が非常に高まり、幅広い人々の間で利用されている。そして、この携帯電話の着信通知手段として、現在では、着信メロディ（通称「着メロ」）が爆発的に普及している。この着信メロディは利用者の嗜好や個性を反映できる手段として愛用され、今では様々な種類のものがあるが、通常は、インターネットのモバイル専用サイトなどから提供されている。
【０００３】
ところで、近頃は特に若年層を中心として、携帯電話に様々なシールなどの飾り付けを施したり、ユニークなストラップを付けたりして自らの個性表現を求める人達が増加している。この点、着信メロディはバラエティーに富み、個性表現の代表的なものとなっている。しかしながら、通常、着信メロディは演奏される部分が予め決まっており、同一楽曲では同じフレーズが演奏される。同じフレーズが演奏されるということは、同一楽曲での個性表現について不都合であるばかりでなく、この場合では、同一場所で同一の演奏が他の携帯電話で行われた際には自他を混同してしまう。
【０００４】
そこで、従来、カラオケ演奏装置を用いて利用者の嗜好に合った好みのカラオケ楽曲のフレーズを任意に携帯電話の着信メロディとして採用できる技術が想到された。例えば、特許文献１では、カラオケ楽曲をダウンロードして再生でき、この中のサビ部分のフレーズを着信メロディとして設定できる技術が開示されている。また、特許文献２では、特定の楽曲の中で利用者が入力したい歌唱部分を選択し、当該歌唱部分のメロディを着信メロディとして入力可能な音符に変換できる楽譜データ変換装置（カラオケシステムへの組込み可能）が開示されている。
【特許文献１】特開２０００−２６７６５２号公報
【特許文献２】特開２００２−１６９５６８号公報
【０００５】
このように、現在では、カラオケ演奏装置を利用して、自分好みの着信メロディをアレンジできるようにする技術が確立されている。ところで、最近、この着信メロディと並行して歌入着信メロディ（通称「着歌」）が普及しつつある。歌入着信メロディは、実際に歌手が歌っている楽曲の一部のフレーズを取り出し、これを着信通知手段として利用するもので、好きな楽曲の歌唱入りの音楽を聴けるという意味では着信メロディよりもインパクトが強いため、今後、着信メロディと同様に定着し、普及する可能性は大きい。
【発明の開示】
【発明が解決しようとする課題】
【０００６】
さて、好きな楽曲を歌いたいという願望、特に、好きな楽曲のイントロ部やサビ部分などのフレーズを歌いたいという願望は自然と人の心の中にある。そして、究極の個性表現や自他混同の防止という観点からも、携帯電話の利用者本人が歌唱して作成した歌入着信メロディを利用するのが好ましく、潜在的な需要が大いにある。具体的には、好きな楽曲を利用者自らが歌唱することで、例え、同一楽曲で同じフレーズが演奏されても、歌唱音声が異なるため、個性表現や自他混同の防止という観点では着信メロディよりも好適である。しかしながら、従来では、各カラオケ楽曲に歌入着信メロディとして所望する歌唱部分を利用者が自由に設定し、これを歌入着信メロディとして効率良く供給できるようなシステムは想到されていなかった。
【０００７】
そこで、本発明は、上記不都合の解決を課題とし、具体的には、各カラオケ楽曲において、利用者が歌入着信メロディとして所望する歌唱部分について、これを容易かつ効率的に利用者が自由に指定でき、これにより利用者が自分好みの楽曲の歌入着信メロディを独自にアレンジできると共に、その歌唱録音データを歌入着信メロディとして効率良く供給できるカラオケ演奏装置の提供を課題とする。
【課題を解決するための手段】
【０００８】
上記課題を鑑み、利用者が好きなカラオケ楽曲において、歌入着信メロディとして所望する歌入着信メロディ対象歌唱区間を、利用者が歌唱中に自由に指定できる機構を設けることで、上記課題を解決できることを見出し、本発明の歌入着信メロディ供給機能を有するカラオケ演奏装置を想到した。
【０００９】
すなわち、本発明の請求項１記載のカラオケ演奏装置は、利用者による任意のカラオケ楽曲の歌唱音声に対する録音機能を有し、当該歌唱録音データから携帯電話の歌入着信メロディを供給できるカラオケ演奏装置であって、
（ア）利用者が任意のカラオケ楽曲を歌唱中、当該楽曲において、歌入着信メロディとして所望する歌入着信メロディ対象歌唱区間を指定可能に制御する区間指定制御手段と、
（イ）前記指定された歌入着信メロディ対象歌唱区間の歌唱音声を当該楽曲の伴奏音楽と共に録音し、その歌唱録音データを所定の記録部に記録する歌唱録音手段と、
（ウ）前記所定の記録部に記録された歌唱録音データを、適宜、所定の携帯電話に転送可能に制御する転送制御手段と、を具備してなることを特徴とする。
【００１０】
また、本発明の請求項２記載のカラオケ演奏装置は、請求項１記載のカラオケ演奏装置において、前記歌唱録音データが記録された後、当該歌唱録音データを試聴可能に制御する試聴制御手段を、さらに具備してなることを特徴とする。
【００１１】
さらに、本発明の請求項３記載のカラオケ演奏装置は、請求項１ないし請求項２記載のカラオケ演奏装置において、前記区間指定制御手段の区間指定インタフェイスが、付帯するカラオケマイクに組み込まれてなることを特徴とする。
【００１２】
さらに、本発明の請求項４記載のカラオケ演奏装置は、請求項１ないし請求項２記載のカラオケ演奏装置において、前記区間指定制御手段の区間指定インタフェイスが、付帯するリモコン装置に組み込まれてなることを特徴とする。
【発明の効果】
【００１３】
本発明の請求項１記載のカラオケ演奏装置によれば、利用者が任意のカラオケ楽曲を歌唱中、当該楽曲において、歌入着信メロディとして所望する歌入着信メロディ対象歌唱区間を指定可能に制御することから、利用者が歌入着信メロディとして所望する歌唱部分について、これを利用者の歌唱中に容易かつ効率的に指定でき、利用者が自分好みの楽曲の歌入着信メロディを独自にアレンジできるなどといった効果を奏する。
【００１４】
また、本発明の請求項２記載のカラオケ演奏装置によれば、請求項１記載のカラオケ演奏装置において、歌唱録音データを試聴可能に制御することから、歌入着信メロディとして採用するか否かについて、試聴による利用者自身の主観的な判断を加えることができるといった効果を奏する。
【００１５】
さらに、本発明の請求項３記載のカラオケ演奏装置によれば、請求項１ないし請求項２記載のカラオケ演奏装置において、区間指定制御手段の区間指定インタフェイスが、付帯するカラオケマイクに組み込まれていることから、利用者は歌唱中に、歌唱に何ら支障がなくそのままの状態で、極めて容易かつ効率的に歌入着信メロディとして所望する歌唱部分を指定できるといった効果を奏する。
【００１６】
そして、本発明の請求項４記載のカラオケ演奏装置によれば、請求項１ないし請求項２記載のカラオケ演奏装置において、区間指定制御手段の区間指定インタフェイスが、付帯するリモコン装置に組み込まれていることから、特に、所定の利用者が歌唱中に、他の利用者がその歌唱を歌入着信メロディとして所望する場合、リモコン装置のモバイル機能を活かした手元の操作にて、歌唱に何ら支障を与えることなく、極めて容易かつ効率的に歌入着信メロディとして所望する歌唱部分を指定できるといった効果を奏する。
【発明を実施するための最良の形態】
【００１７】
以下、本発明の歌入着信メロディ供給機能を有するカラオケ演奏装置についての最適な実施例を挙げるが、先ず、請求項１記載の（ア）から（ウ）の構成について詳述する。
【実施例１】
【００１８】
図１は、本発明の一実施例であるカラオケ演奏装置のブロック構成図である。本実施例におけるカラオケ演奏装置（１）は、装置全体の動作を制御する中央制御手段（２）と、これに接続された各種機器で構成される。具体的には、中央制御手段（２）には、ＲＡＭ（３）、ハードディスク（４）、音源（８）、ミキサ（９）、ボーカルアダプタ（１３）、ＭＰＥＧデコーダ（１４）、合成回路（１５）、リモコン装置（６）、利用者ＩＤが付されたＩＣカード読み取り／書き込み装置（３３）などが接続されている。また、ハードディスク（４）には、カラオケ楽曲を演奏するための楽曲データ（２９）やディスプレイ装置（７）に背景映像を表示するための背景映像データ（３０）などを記録している。
【００１９】
ここで、各機能手段について少々説明する。先ず、音源（８）は、中央制御手段（２）が実行する楽曲シーケンサ（１９）の処理によって入力された楽曲データに応じて楽音信号を形成する。形成された楽音信号はミキサ（９）に入力され、このミキサ（９）は、音源（８）が発生した複数の楽音信号やカラオケマイク（５）と、Ａ／Ｄコンバータ（１２）を介して入力された利用者の歌唱音声信号を適当なバランスでミキシングする。ミキシングされたデジタル音声信号はサウンドシステム（１０）に入力される。このサウンドシステム（１０）はパワーアンプを備え、入力されたデジタル信号をアナログ信号に変換して増幅し、スピーカ（１１）から伴奏楽音と歌唱音声を放音する。また、Ａ／Ｄコンバータ（１２）によってデジタル信号に変換された歌唱音声信号は、ボーカルアダプタ（１３）にも入力される。このボーカルアダプタ（１３）は、入力された歌唱音声信号から歌唱周波数を採取すると共に、中央制御手段（２）の楽曲シーケンサ（１９）から入力されたリファレンスの周波数を採取し、利用者の歌唱力を採点する場合に利用される。
【００２０】
ハードディスク（４）に記録されている背景映像データ（３０）は、ＭＰＥＧ（Moving Picture Experts Group）形式にエンコードされており、中央制御手段（２）が実行する背景映像再生手段（２２）により再生処理を行い、これを読み出してＭＰＥＧデコーダ（１４）に入力する。このＭＰＥＧデコーダ（１４）は、入力されたＭＰＥＧデータをＮＴＳＣ（National Television System Committee）の映像信号に変換して合成回路（１５）に入力し、この合成回路（１５）は、この背景映像の映像信号上に歌詞テロップや採点表示などを合成し、合成された映像信号はディスプレイ装置（７）に表示される。
【００２１】
リモコン装置（６）には、液晶ディスプレイ（通称「ＬＣＤ」）が設けられ、このＬＣＤ（Liquid Crystal Display）にはタッチセンサ方式の操作パネルが装着されてＧＵＩ（Graphical User Interface）環境を提供している。さらに、楽曲コードを予約登録するために使用する発光ダイオードからなる赤外線転送部が設けられ、通常は、充電器とデータの同期処理器を兼用した充電ステーション（通称「クレードル」）に着脱可能に装着接続している。一方、本体側のリモコンインタフェイス（２４）は、リモコン装置（６）から送られてくる赤外線信号を受信して、その楽曲コード信号を復元して中央制御手段（２）に入力する。例えば、リモコン装置（６）から楽曲コードが入力される度に、中央制御手段（２）は、この楽曲コードをカラオケ楽曲のリクエストであるとしてシーケンサ（１８）に伝達し、シーケンサ（１８）は、これに応じ、当該楽曲コードで識別される楽曲データをハードディスク（４）の楽曲データ記録エリア（２９）から読み出す。
【００２２】
また、このシーケンサ（１８）は主に楽曲シーケンサ（１９）および歌詞シーケンサ（２０）からなっており、楽曲シーケンサ（１９）は楽曲データ中の演奏データトラック、ガイドメロディトラックなどのトラックデータを読み出し、このデータで音源（８）を制御して所定のカラオケ楽曲の演奏を行い、一方、歌詞シーケンサ（２０）は文字パターン作成手段（２１）を備え、楽曲データ中の歌詞トラックのデータを読み出し、このデータに基づいて歌詞テロップの画像パターンを作成し、これを合成回路（１５）に出力する。
【００２３】
歌唱録音手段（１６）は、楽曲データに応じた伴奏楽音信号とミキサ（９）から受け取ったカラオケマイク（５）に入力された歌唱音声との混合信号を入力し、この混合信号をサンプリングしてＰＣＭデータへの変換処理を行う。このＰＣＭデータは歌唱録音データ（２８）とされ、歌唱されたカラオケ楽曲の楽曲コード（２６）と、後述する歌入着信メロディ対象区間コード（２７）と共に、一旦、ＲＡＭ（４）に記録された後、楽曲コードと歌入着信メロディ対象区間コードは、速やかにハードディスク（４）に設けられた区間管理テーブル（Ｔ）に記録され、各歌唱録音データ（２８）は所定の記録エリア（３１）に記録される。また、本実施例では、この記録エリア（３１）に記録された各歌唱録音データについては、利用者の試聴指示があれば、試聴制御手段（１７）は、これらの歌唱録音データを取り出して、再生演奏するように制御することもできる。
【００２４】
転送制御手段（２５）は、この歌唱録音データ記録エリア（３１）に記録された歌唱録音データを、所定の携帯電話に転送可能とするように制御する。上述したように、ＲＡＭ（３）に、一旦、記録される歌唱録音データ（２８）は、通常、ＰＣＭデータであるが、ハードディスク（４）の歌唱録音データ（３１）は、一般的な携帯電話における歌入着歌メロディの保存データ形式に合わせ、ＭＰ３（MPEG Audio Layer 3）形式に変換して記録される。そして、本実施例では、転送制御手段（２５）は、このＭＰ３データを所定の携帯電話（Ｍ）に対し、近距離無線通信手段であるブルートゥース（blue tooth）機構のアドホック接続を利用し、カラオケ演奏装置（１）をマスタとし、一方、携帯電話（Ｍ）をスレイブとなるようにピコネットを形成して転送させるものであるが、本発明はこれに限らず、例えば、ＩｒＤＡ（InfraRed Data Association）方式の無線ＬＡＮ機構などを利用しても構わない。
【００２５】
以下、図２に示す、歌入着信メロディの供給手順を示す表示画面の変遷図と、図３に示す、歌入着信メロディ対象歌唱区間の指定手順を示す表示画面の変遷図と、図４に示す、歌入着信メロディ対象区間の区間管理テーブルの概念図と、図５に示す、図２の表示画面Ｄ６の拡大説明図に基づき、本発明の請求項１記載の（ア）から（ウ）の構成、および請求項２記載の構成について、さらに詳述する。
【００２６】
図２のＤ１からＤ８は、それぞれ本発明のカラオケ演奏装置が付帯するリモコン装置のＬＣＤ表示画面である。なお、これら画面表示は、このＬＣＤと共に、図１におけるディスプレイ装置（７）に表示しても構わない。なお、通常、ディスプレイ装置にはＧＵＩ環境が設定されていないので、ＧＵＩ環境が備えられたリモコンが利用できない場合は、カラオケ演奏装置が付帯する操作パネルやキーボードを利用する。
【００２７】
利用者は、先ず、自らの歌入着信メロディを作成し、その供給を受けるサービスを選択するためのインタフェイス画面（図示省略）からＤ１を表出させる。このＤ１には、「Ｍｙ着歌エントリー」アイコン（４１）が設置され、利用者がこのアイコン（４１）を選択すると歌入着信メロディ供給機能システムが起動してＤ２が表出する。このＤ２には、本コンテンツが有料であることから課金処理を行うため、その支払い方法が設定されている。本実施例では、支払い方法は二つ指定され、一つは、個人ＩＤ認証と共に金銭の授受ができる前払式電子マネー用ＩＣカードを利用する方法で、もう一つは現金を利用する方法である。具体的には、「ＩＣカード」アイコン（４２）ないし「キャッシュ」アイコン（４３）を選択して支払いを行い、カラオケ演奏装置付帯のＩＣカード読み取り／書き込み装置ないしキャッシュ欄（図示省略）にて審査料が引き落とされる。なお、前払式電子マネー用ＩＣカードを利用する場合には、当該ＩＣカードには課金情報と共にエントリー情報に関するデータも記録され、利用者毎の歌入着信メロディの作成履歴を、このカラオケ演奏装置とネットワーク接続されたカラオケホスト装置内に記録することもできる。
【００２８】
料金の支払いを確認するとＤ３が表出する。このＤ３には、利用者が所望する楽曲の楽曲コードを指定するための「楽曲コード入力」欄（４４）が設置され、利用者は該当コードを入力してから「確定」アイコン（４５）を選択するとＤ４が表出する。このＤ４には、楽曲演奏と共に歌唱録音する旨と、利用者による録音したい歌唱部分の指定、すなわち、利用者が所望する歌入着信メロディ対象歌唱区間の指定を促すメッセージが表示され、所定時間経過後、演奏が開始される。
【００２９】
ここで、図３に基づき、歌入着信メロディ対象歌唱区間の指定手順について説明する。演奏が開始されると、前奏中ないし間奏中（Ｓ１）で歌詞文字表示のないＤ４ａに続き、歌詞文字列が表示（Ｓ２）されるＤ４ｂが現れるが、利用者は、Ｄ４ｃに示すように、所望する歌入着信メロディ対象歌唱区間の開示歌詞文字（Ｍｓ）を、その歌詞文字の色変わり直前のタイミングで指示ボタンや指示アイコンといった所定の指定トリガ（区間指定インタフェイス）を押圧することで指定を行う（Ｓ３）。これに続き、Ｄ４ｄに示すように、歌入着信メロディ対象歌唱区間の終了歌詞文字（Ｍｅ）を、その歌詞文字の色変わった直後のタイミングで、開始歌詞文字の指定方法と同様、所定の指定トリガを押圧することで指定を行う（Ｓ４）。こうして、歌入着信メロディ対象歌唱区間が指定されるが、このような操作を複数繰り返せば、利用者が所望する区間を複数指定することもできる。
【００３０】
演奏が終了すると、図２に示すように、自動的にＤ５が表出する。このＤ５が表出した時点で、図４に示す、歌入着信メロディ対象歌唱区間の区間管理テーブルが作成される。すなわち、このテーブル（Ｔ）において、カラオケ楽曲を特定するための「楽曲コード」フィールド（ｆ１）と、上記開示歌詞文字を演奏経過の相対時間で表す色替えタイミングデータにて特定するための「開始歌詞文字」フィールド（ｆ３）と、これと同様に、上記終了歌詞文字を特定するための「終了歌詞文字」フィールド（ｆ４）と、これら歌詞文字により指定された歌入着信メロディ対象歌唱区間を特定するための「歌唱区間コード」フィールド（ｆ２）にはそれぞれのデータが記録される。
【００３１】
このＤ５には、歌入着信メロディ用の歌唱音声の録音が終了した旨と、その歌唱部分を試聴できる旨を含めたメッセージが表示されると共に、「試聴」アイコン（４６）を選択すると、各歌唱部分を利用者が試聴して採用を判断できる表示画面であるＤ６が表出する。なお、このＤ５において、試聴を希望しない場合には、その「採用」アイコン（２７）を選択すればＤ６は表出されずに、携帯電話への書き込みインタフェイス表示画面であるＤ７が表出する。
【００３２】
図５に示すように、このＤ６には、利用者が歌唱するカラオケ楽曲を特定する「楽曲コード」欄（５１）、当該楽曲の曲名を示す「曲名」欄（５２）などが設定されている。また、指定した各歌入着信メロディ対象歌唱区間が利用者に分かるように、各歌唱区間を構成する歌詞フレーズ（５３）も自動表示される。そして、利用者が試聴を所望する歌唱区間コード欄（５４）に対してチェックを入れた状態で「試聴」アイコン（５５）を選択すると、図１における試聴制御手段（１７）は、当該部分の歌唱録音データを順次再生演奏するように制御する。この試聴により、利用者が採用したいと判断した場合、その「採用フラグ」欄（５６）をチェックしてフラグを立て、さらに、「採用」アイコン（５７）を選択すると、上記区間管理テーブル（Ｔ）の各歌唱区間コードに対応した「採用フラグ」フィールド（ｆ５）にもフラグが立ち、当該フラグが立った歌唱録音データが歌入着信メロディとして正式に採用され、Ｄ７が表出する。
【００３３】
次に、このＤ７には、利用者自らの歌入着信メロディが作成された旨と、利用者の携帯電話からのアクセス要請のメッセージが表示される。そして、利用者が「書込み開始」アイコン（４８）を選択し、その携帯電話からアクセスすると、採用された歌入着信メロディ用の歌唱音声データが転送される。なお、本実施例ではブルートゥース機構（ピコネット）を採用しているため、カラオケ演奏装置と携帯電話間では、先ず、チャレンジ・レスポンス方式にて認証が行われ、認証後、データ転送が行われる。そして、データ転送が終了するとＤ８が表出し、このＤ８には、サービスの終了を示すメッセージが表示される。
【００３４】
以下、図６に示す、区間指定制御手段の区間指定インタフェイスを組み込んだカラオケマイクおよびリモコン装置の概略図に基づき、請求項３および請求項４記載の構成について詳述する。
【００３５】
図６の（イ）は、本発明のカラオケ演奏装置が付帯するカラオケマイクである。このマイク（５）は、利用者の歌唱音声を採取するためのワイヤード型マイクないしワイヤレス型マイクであって、歌声の音圧を受けて振動する音圧受振部や、その振動を電気信号に変換して所定の変調処理を行う圧電変換・変調手段などを備えるものであるが、本実施例では、さらに、利用者の歌唱中に歌入着信メロディ対象歌唱区間を指定できるようにするため、利用者がマイクを握った状態で自然に指が触れる位置に押圧式の指示ボタン（５ａ）が設けられている。この指示ボタン（５ａ）を区間指定インタフェイスとし、利用者が所望するタイミングでの押圧により、図１における区間指定制御手段（２３）をもって、前述した指定手順により歌入着信メロディ対象歌唱区間が指定される。なお、指定信号は有線電気信号ないし赤外線信号またはＦＭ波信号としてカラオケ演奏装置本体へと送信される。
【００３６】
図６の（ロ）は、本発明のカラオケ演奏装置が付帯するリモコン装置である。このリモコン装置（６）は、両手を軽く開いた状態で持てる程度のサイズで、その形状は湾曲部を備えた略矩状のものである。そして、表示手段としてはＬＣＤ（６ｂ）が設けられ、このＬＣＤ（６ｂ）にはタッチセンサ方式でＧＵＩ環境を提供する操作パネル（６ｃ）が装着されている。本実施例では、さらに、所定の利用者が歌唱中に、他の利用者がその歌唱を歌入着信メロディとして所望する場合、その歌入着信メロディ対象歌唱区間を指定できるようにするため、所定のモードにて操作パネル（６ｃ）に指示アイコン（６ａ）が表示されるように設定されている。この指示アイコン（６ａ）を区間指定インタフェイスとし、所望するタイミングでの押圧により、図１における区間指定制御手段（２３）をもって、上記（イ）と同様、歌入着信メロディ対象歌唱区間が指定される。
【００３７】
以上、詳述したように、本発明の歌入着信メロディ供給機能を有するカラオケ演奏装置によれば、利用者が任意のカラオケ楽曲を歌唱中、当該楽曲において、歌入着信メロディとして所望する歌入着信メロディ対象歌唱区間を指定可能に制御することから、利用者が歌入着信メロディとして所望する歌唱部分について、これを利用者の歌唱中に容易かつ効率的に指定でき、利用者が自分好みの楽曲の歌入着信メロディを独自にアレンジできるものである。
【図面の簡単な説明】
【００３８】
【図１】本発明の一実施例であるカラオケ演奏装置のブロック構成図。
【図２】歌入着信メロディの供給手順を示す表示画面の変遷図。
【図３】歌入着信メロディ対象歌唱区間の指定手順を示す表示画面の変遷図。
【図４】歌入着信メロディ対象歌唱区間の区間管理テーブルの概念図。
【図５】図２の表示画面Ｄ６の拡大説明図。
【図６】区間指定インタフェイスを組み込んだカラオケマイクおよびリモコン装置の概略図。
【符号の説明】
【００３９】
１  歌入着信メロディ供給機能を有するカラオケ演奏装置
２  中央制御手段
３  ＲＡＭ
４  ハードディスク
５  カラオケマイク
５ａ  区間指定インタフェイス
６  リモコン装置
６ａ  区間指定インタフェイス
１６  歌唱録音手段
１７  試聴制御手段
２３  区間指定制御手段
２５  転送制御手段
２７  対象歌唱区間コード
２８  歌唱録音データ（ＰＣＭ形式）
３１  歌唱録音データ（ＭＰ３形式）
Ｔ  区間管理テーブル
Ｍ  携帯電話
【図１】
2006017757.tif 000003
【図２】
2006017757.tif 000004
【図３】
2006017757.tif 000005
【図４】
2006017757.tif 000006
【図５】
2006017757.tif 000007
【図６】
2006017757.tif 000008